(57)【要約】      （修正有）【課題】固定テーブル内の隔壁の通行性を害しない固定テーブル型ツインデッキクレーンの固定テーブル電線敷設経路を提供する。【解決手段】メインポスト１０１の周壁に設けられ、２つのデッキクレーンのうちの一方のデッキクレーンの円筒体１１１ａへの電線経路を外部に引き出す引き出し孔７と、円筒体１１１ａの底部に設けられる電線引き込みのための引き込み孔９と、円筒体１１１ａに電線経路を導く外部ベンダー曲がりパイプ８と、円筒体内の電線敷設経路１０と、他方のデッキクレーンの円筒体１１１ｂへの電線経路を外部に引き出す引き出し孔１２と、他方の円筒体１１１ｂの底部に設けられる電線引き込みのための引き込み孔１４と、引き出し孔と前記引き込み孔との間に配置され、他方の円筒体１１１ｂに電線経路を導く外部ベンダー曲がりパイプ１３と、他方の円筒体内の電線敷設経路１５とを有する。【選択図】図２
2020045213.tif 000002
【特許請求の範囲】
【請求項１】
デッキハウスからの電力を供給する引き込み電線敷設経路と、
メインポスト内への引き込み孔と、
前記引き込み孔から当該メインポストの内周面に沿って敷設される内周電線敷設経路と、
前記内周電線敷設経路から上方への立ち上がり電線敷設経路と、
当該メインポストの周壁に設けられ、２つのデッキクレーンのうちの一方のデッキクレーンの円筒体への電線経路を外部に引き出す引き出し孔と、
前記円筒体の底部に設けられる電線引き込みのための引き込み孔と、
前記引き出し孔と前記引き込み孔との間に配置され、前記円筒体に電線経路を導く外部ベンダー曲がりパイプと、
前記円筒体内の電線敷設経路と、
前記立ち上がり電線敷設経路から他方のデッキクレーンに電力を供給する前記メインポスト内の電線敷設経路と、
同他方のデッキクレーンの円筒体への電線経路を外部に引き出す引き出し孔と、
前記他方の円筒体の底部に設けられる電線引き込みのための引き込み孔と、
前記引き出し孔と前記引き込み孔との間に配置され、前記他方の円筒体に電線経路を導く外部ベンダー曲がりパイプと、
前記他方の円筒体内の電線敷設経路と、
を有することを特徴とする固定テーブル型ツインデッキクレーンの固定テーブル電線敷設経路。
【請求項２】
前記各円筒体の底部に設けられる前記引き込み孔は、当該各円筒体の中心線近傍に配置されたことを特徴とする請求項１に記載の固定テーブル型ツインデッキクレーンの固定テーブル電線敷設経路。
【発明の詳細な説明】
【技術分野】
【０００１】
本発明は、２機のクレーンが１つのクレーンポストに載っているが、クレーンポスト上部のテーブルが旋回しない固定テーブル型ツインデッキクレーンの固定テーブル電線敷設経路に関する。
【背景技術】
【０００２】
貨物船には、甲板上に２機のクレーンが一つのクレーンポストに搭載されているダブルデッキクレーン又はツインデッキクレーンと称される荷役機器が搭載される場合がある。
図１０は、特開２００８-２４７５８８号公報の図３として記載される従来のダブルデッキクレーンの概略側面図（イ）及び同２基のデッキクレーンにより重量物の荷役を行う状態を示す概要図（ロ）である。
図１０において、符号１０１は、クレーンポスト（以下、時として「メインポスト」とも説明する。）、１０５は、ジブ、１０７は、フック、１０８は、ロープ、１１１は、ターンテーブル、１１２は、デッキクレーン本体である（なお、符号は、先行技術であることを明らかにするために、本願出願人において、３桁に変更して説明した。）。
この種のダブルデッキクレーン又はツインデッキクレーンは、油圧ポンプを動かすために、電力供給が必須であり、各デッキクレーンには、電力供給のための電線経路が設けられる。
【０００３】
図５〜図９は、固定テーブル型ツインデッキクレーンの電力供給経路の概略を示すための本願出願人会社の建造貨物船に搭載される固定テーブル型ツインデッキクレーンの固定テーブルの概略を示す図であり、図５は、その側面図、図６は、図５のＢ平断面図、図７は、同Ｃ平断面図、図８は、内側隔壁の通行開口部の概略図、図９は、外側隔壁の通行開口部概略図である。図５〜図９において、符号１０１は、前記メインポスト、１１１ａ、１１１ｂは、当該メインポスト１０１上に溶接固定されるツインデッキクレーンの各円筒体、１０２は、前記メインポスト１０１からの電線貫通孔であり、１０３ａ、１０３ｂは、前記各円筒体１１１ａ、１１１ｂへの電線経路、１０４ａ、１０４ｂは、内側隔壁通行開口、１０６ａ、１０６ｂは、同外側隔壁通行開口、１０９は、前記外側隔壁通行開口１０６ａ、１０６ｂの下部に開口する外側隔壁電線用開口である。
【０００４】
前記メインポスト１０１から、円筒体１１１ａ、１１１ｂへ電線を敷設する場合、図５〜図９から明らかなように、前記メインポスト１０１から見て、内側隔壁と、外側隔壁の二つの隔壁が介在し、前記各円筒体１１１ａ、１１１ｂへの電線経路１０３ａ、１０３ｂは、これらの二つの隔壁を越えて、前記円筒体１１１ａ、１１１ｂに供給されるようになっている。
【０００５】
このため、図５〜図９に示される前記円筒体１１１ａ、１１１ｂ内の電線経路１０３ａ、１０３ｂは、人が通る前記内側隔壁通行開口１０４ａ、１０４ｂもしくは、前記外側隔壁通行開口１０６ａ、１０６ｂの足元に電線用の前記外側隔壁電線用開口１０９を設けて敷設しており、この結果、これらの電線経路は前記開口通路１０４ａ、１０４ｂ及び１０６ａ、１０６ｂの足元に敷設され、通行性を阻害する結果となっている。
【０００６】
また、上記のような前記開口通路１０４ａ、１０４ｂ、１０６ａ、１０６ｂの足元敷設の方法で通行性を改善するためには、固定テーブルの高さを２００〜３００ｍｍ程度上げ、さらに、電線上にパイプカバーを被せる必要があり、大幅な重量増が不可避という問題があった。
【先行技術文献】
【特許文献】
【０００７】
【特許文献１】特開２００８-２４７５８８号公報
【発明の概要】
【発明が解決しようとする課題】
【０００８】
そこで、本発明は、円筒体とメインポスト間の２つの隔壁の通行性を害せず、固定テーブル内の電線敷設及び電線パイプカバーが不要で、物量削減・取付工数の削減等のコストダウンに優れた固定テーブル型ツインデッキクレーンの固定テーブル電線敷設経路を提供することを目的とする。
【課題を解決するための手段】
【０００９】
上記の課題を解決するために、本願請求項１に係る発明は、固定テーブル型ツインデッキクレーンの固定テーブル電線敷設経路は、デッキハウスからの電力を供給する引き込み電線敷設経路と、メインポスト内への引き込み孔と、前記引き込み孔から当該メインポストの内周面に沿って敷設される内周電線敷設経路と、当該内周電線敷設経路から上方への立ち上がり電線敷設経路と、当該メインポストの周壁に設けられ、２つのデッキクレーンのうちの一方のデッキクレーンの円筒体への電線経路を外部に引き出す引き出し孔と、前記円筒体の底部に設けられる電線引き込みのための引き込み孔と、前記引き出し孔と前記引き込み孔との間に配置され、前記円筒体に電線経路を導く外部ベンダー曲がりパイプと、前記円筒体内の電線敷設経路と、前記立ち上がり電線敷設経路から他方のデッキクレーンに電力を供給する前記メインポスト内の電線敷設経路と、同他方のデッキクレーンの円筒体への電線経路を外部に引き出す引き出し孔と、前記他方の円筒体の底部に設けられる電線引き込みのための引き込み孔と、前記引き出し孔と前記引き込み孔との間に配置され、前記他方の円筒体に電線経路を導く外部ベンダー曲がりパイプと、前記他方の円筒体内の電線敷設経路と、を有することを特徴とする。
また、本願請求項２に係る発明は、前記請求項１に記載の固定テーブル型ツインデッキクレーンの固定テーブル電線敷設経路において、前記各円筒体の底部に設けられる前記引き込み孔は、当該円筒体の中心線近傍に配置されたことを特徴とする。
【発明の効果】
【００１０】
上記のような構成とすることから、本願発明は、次のような効果を有する。
（１）固定テーブル内通路の足元に電線経路がないので、固定テーブル内での作業者の通行を妨げることがなくなる。
（２）固定テーブル内に電線を敷設しないことで電線パイプカバーを不要とし、物量削減・取付工数の削減といったコストダウンに繋がる。
（３）さらには、固定テーブル内のメンテナンス性、通行性が向上する。
【図面の簡単な説明】
【００１１】
【図１】図１は、実施例１に係る固定テーブル型ツインデッキクレーンの固定テーブル電線敷設経路のメインポスト１０１内の電線敷設経路の部分概略図である。
【図２】図２は、実施例１に係る固定テーブル型ツインデッキクレーンの固定テーブル電線敷設経路の各円筒体１１１ａ、１１１ｂへ電力を供給する電線敷設経路の概略を示す図である。
【図３】図３は、固定テーブルの外側外観図である。
【図４】図４は、実施例１に係る固定テーブル型ツインデッキクレーンの固定テーブル電線敷設経路の各円筒体１１１ａ、１１１ｂの電線敷設経路配管位置の概略を示す図である。
【図５】図５は、固定テーブル型ツインデッキクレーンの電力供給経路の概略を示すための本願出願人会社の建造貨物船に搭載される固定テーブル型ツインデッキクレーンの固定テーブルの概略を示す側面図である。
【図６】図６は、図５のＢ平断面図である。
【図７】図７は、同Ｃ平断面図である。
【図８】図８は、内側隔壁の通行開口部の概略図である。
【図９】図９は、外側隔壁の通行開口部概略図である。
【図１０】図１０は、特開２００８-２４７５８８号公報の図３として記載される従来のダブルデッキクレーンの概略側面図（イ）及び同２基のデッキクレーンにより重量物の荷役を行う状態を示す概要図（ロ）である。
【発明を実施するための形態】
【００１２】
本発明に係る固定テーブル型ツインデッキクレーンの固定テーブル電線敷設経路の一実施例を図面に基づき詳細に説明する。
【実施例１】
【００１３】
図１〜図４は、本実施例１に係る固定テーブル型ツインデッキクレーンの固定テーブル電線敷設経路１の概略を示す図であり、２つのデッキクレーン（デッキクレーン１１２ａ、１１２ｂ）に電力供給する例として説明する。
図１〜図４のうち、図１は、メインポスト１０１内の電線敷設経路の部分概略、図２は、メインポスト１０１から２つのデッキクレーン１１２ａ、１１２ｂの各円筒体１１１ａ、１１１ｂへ電力を供給する電線敷設経路の概略を示す図、図３は、固定テーブルの外側外観図、図４は、各円筒体１１１ａ、１１１ｂへ電力を供給する電線敷設経路配管位置の概略を示す図である。図１〜図４において、符号２は、デッキハウス（図示外）からの電力を供給する引き込み電線敷設経路、３は、前記メインポスト１０１内への引き込み孔、４は、前記引き込み孔３から当該メインポスト１０１の内周面に沿って敷設される内周電線敷設経路、６は、同メインポスト１０１内の立ち上がり電線敷設経路、７は、当該メインポスト１０１の周壁に設けられ、２つのデッキクレーンのうちの一方のデッキクレーン１１２ａの前記円筒体１１１ａへの電線経路を外部に引き出す引き出し孔、８は、当該引き出し孔７から円筒体１１１ａに電線経路を導く外部ベンダー曲がりパイプ、９は、前記円筒体１１１ａの底部に設けられる電線引き込みのための引き込み孔、１０は、前記円筒体１１１ａ内への電線敷設経路であり、図示外デッキクレーン１１２ａに接続され、当該デッキクレーン１１２ａの動力となる。
【００１４】
また、符号１１は、前記立ち上がり電線敷設経路６から他方のデッキクレーン１１２ｂに電力を供給する前記メインポスト１０１内の電線敷設経路、１２は、同他方のデッキクレーン１１２ｂの前記円筒体１１１ｂへの電線経路を外部に引き出す引き出し孔、１３は、当該引き出し孔１２から前記円筒体１１１ｂに電線経路を導く外部ベンダー曲がりパイプ、１４は、前記円筒体１１１ｂの底部に設けられる電線引き込みのための引き込み孔、１５は、前記円筒体１１１ｂ内の電線敷設経路であり、図示外デッキクレーン１１２ｂに接続される。
【００１５】
図１〜図４から明らかなように、本実施例１に係る固定テーブル型ツインデッキクレーンの固定テーブル電線敷設経路１は、デッキハウス（図示外）からの電力を引き込む電線敷設経路２から前記メインポスト１０１内への引き込み位置に設けられた引き込み孔３を通過し、しかる後、前記引き込み孔３から当該メインポスト１０１の内周面に沿って敷設される内周電線敷設経路４に接続された後、当該メインポスト１０１内の適宜の位置に設けられた立ち上がり電線敷設経路６に接続される。
【００１６】
そして、当該立ち上がり電線敷設経路６から、一方は、２つのデッキクレーンのうちの一方のデッキクレーン１１２ａの前記円筒体１１１ａへ電力を供給するために当該メインポスト１０１の周壁に設けられた前記引き出し孔７及び前記外部ベンダー曲がりパイプ８を通じて、前記円筒体１１１ａの底部に設けられる電線引き込みのための引き込み孔９を通って、前記円筒体１１１ａ内の電線敷設経路１０に接続され、前記デッキクレーン１１２ａに接続され、当該デッキクレーン１１２ａに動力電源となる。
【００１７】
また、前記立ち上がり電線敷設経路６から他方のデッキクレーン１１２ｂに電力を供給する前記メインポスト１０１内の電線敷設経路１１は、前記引き出し孔７まで同一経路で配置され、図２に示すように、さらに前記メインポスト１０１の天井部に沿って他方のデッキクレーン１１２ｂの前記円筒体１１１ｂへの電線経路を外部に引き出す前記引き出し孔１２まで延設され、その後、前記引き出し孔１２及び前記外部ベンダー曲がりパイプ１３、前記引き込み孔１４を介して、前記デッキクレーン１１２ｂの前記円筒体１１１ｂ内の電線敷設経路１５となり、前記デッキクレーン１１２ｂに接続され、当該デッキクレーン１１２ｂに動力電源となる。
【００１８】
図１〜図４から明らかなように、本実施例１に係る固定テーブル型ツインデッキクレーンの固定テーブル電線敷設経路１においては、前記メインポスト１０１と前記各円筒体１１１ａ、１１１ｂを接続する電線敷設経路１０、１５をそれぞれ外部に引き出して敷設するようにしている。これは、ターンテーブルを備える通常のタイプのツインデッキクレーンでは旋回環をまたぐことになる場所なので電線は通せない場所であるが、本実施例１に係る固定テーブル型ツインデッキクレーンでは旋回しない場所なので電線敷設が可能となる。
【００１９】
また、本実施例１に係る固定テーブル型ツインデッキクレーンの固定テーブル電線敷設経路１においては、図３、図４に示すように、前記メインポスト１０１の上部側面および前記各円筒体１１１ａ、１１１ｂの下面に引き出し孔７，１２、引き込み孔９、１４を開けて、ベンダー曲げしたパイプ８，１２を取り付け、そのパイプ８、１２の中に電線を敷設して電線敷設経路としたものである。
【００２０】
また、前記円筒体１１１ａ、１１１ｂの底部に設けられる電線引き込みのための引き込み孔９、１４は、図４に示すように、同各円筒体１１１ａ、１１１ｂの中心線位置近傍に配置され、前記メインポスト１０１の周壁の適宜の高さ位置に配置される前記引き出し孔７，１２から前記外部ベンダー曲がりパイプ８，１３を介して、前記各円筒体１１１ａ、１１１ｂ内に引き込まれ、そのままこれらの各円筒体１１１ａ、１１１ｂの中心線近傍を直上して前記デッキクレーン１１２ａ、１１２ｂに供給される。
【００２１】
したがって、固定テーブル内の足元には電線敷設がないので、固定テーブル内での作業者の通行を妨げることがなくなり、その結果、作業者の通行時に作業者との接触を避けるため、各敷設電線経路を電線パイプカバーなどで覆う必要がなく、その分、物量削減・取付工数の削減といったコストダウンに繋がる。さらには、固定テーブル内のメンテナンス性、通行性が向上することとなる。
【産業上の利用可能性】
【００２２】
本発明は、２機のクレーンが１つのクレーンポストに載っているが、クレーンポスト上部のテーブルが旋回しない固定テーブル型ツインデッキクレーンの固定テーブル電線敷設経路に利用される。
【符号の説明】
【００２３】
１ 実施例１に係る固定テーブル型ツインデッキクレーンの固定テーブル電線敷設経路
２ 引き込み電線敷設経路
３ 引き込み孔
４ 内周電線敷設経路
６ 立ち上がり電線敷設経路
７、１２ 引き出し孔
８、１３ 外部ベンダー曲がりパイプ
９、１４ 引き込み孔
１０、１５ 円筒体内電線敷設経路
１１ 他方のデッキクレーン１１２ｂに電力を供給する電線敷設経路
１０１ メインポスト
１０２ 貫通孔
１０３ａ、１０３ｂ 各円筒体への電線経路
１０４ａ、１０４ｂ 内側隔壁通行開口
１０６ａ、１０６ｂ 外側隔壁通行開口
１０９ 外側隔壁電線用開口
１１１ａ、１１１ｂ 円筒体
１１２ａ、１１２ｂ デッキクレーン
【図１】
2020045213.tif 000003
【図２】
2020045213.tif 000004
【図３】
2020045213.tif 000005
【図４】
2020045213.tif 000006
【図５】
2020045213.tif 000007
【図６】
2020045213.tif 000008
【図７】
2020045213.tif 000009
【図８】
2020045213.tif 000010
【図９】
2020045213.tif 000011
【図１０】
2020045213.tif 000012